(57)【特許請求の範囲】
【請求項１】
注射針（３１）が装着された注射針固定部材（３０）が脱着される注射器本体のシリンダー（１０）を有し、
前記シリンダー（１０）の先端に内入部（１２）が設けられ、前記内入部（１２）には突出部（１１）が接続されており、
前記内入部（１２）の内壁には一定の長さを有する、突出されたリブ（１４）が設けられ、前記リブ（１４）によって流路（１３）が形成され、
前記リブ（１４）の上端には段顎面（１５）が形成され、
前記内入部（１２）にはフィルター体（２０）が収容され、前記フィルター体（２０）はフィルターカバー（２０ａ）およびフィルター（２０ｂ）から構成され、
前記フィルターカバー（２０ａ）は、一定長さを有し注射器本体のシリンダーの内入部（１２）の内壁に密着され、内空間（２１ａ）を有する胴体（２２ａ）と、前記胴体（２２ａ）の一端の外周縁から突出するように形成され、前記リブ（１４）の段顎面（１５）と密着される逆止翼（２３ａ）とを有し、
前記胴体（２２ａ）の他端には段顎（２４ａ）が設けられ、前記段顎（２４ａ）の中央には、逆止弁（２５ａ）が形成されており、
前記フィルターカバー（２０ａ）の内空間（２１ａ）内に挿入されたコップ状の前記フィルター（２０ｂ）は、密着されて結合固定されている、フィルター注射器。
【請求項２】
前記段顎面（１５）は、内側に向かって下向き傾斜になるように形成されており、吸入時に容易に開放を可能にし、注射時には密着しながら注射液の流れを容易にして薬液が残存しないようにすることを特徴とする請求項１に記載のフィルター注射器。
【請求項３】
前記流路（１３）は、圧力が分散されるように放射状に、均一な間隔で複数形成されており、また前記流路（１３）を形成する突出した前記リブ（１４）は、前記内入部（１２）が、注射針（３１）の固定部材（３０）が結合される突出部（１１）と段顎になるように形成されることを特徴とする請求項１に記載のフィルター注射器。
【請求項４】
前記内入部（１２）の内壁で突出された前記リブ（１４）は、上端の段顎面（１５）と下端の下敷面（１６）を有し、前記フィルター体（２０）のフィルターカバー（２０ａ）が前記内入部（１２）に差し込まれて結合される場合に、フィルターカバー（２０ａ）に形成された逆止翼（２３ａ）は上端の段顎面（１５）に密着されながら、フィルターカバー（２０ａ）の段顎（２４ａ）は下敷面（１６）と密着されて、逆止弁（２５ａ）が内入部（１２）に内入された状態で加圧されないように露出され、逆止弁（２５ａ）の作動が邪魔されないようにすることを特徴とする請求項１または３に記載のフィルター注射器。
【請求項５】
前記逆止弁（２５ａ）は湾曲した外面を有し、内側には湾曲空間が形成されており、薬液を吸いこむ場合には逆止弁（２５ａ）には外力が伝達されないようにし、注射時には容易に開放されることを特徴とする請求項４に記載のフィルター注射器。
【請求項６】
前記フィルターカバー（２０ａ）の内空間に差し込まれるコップ状の前記フィルター（２０ｂ）は開口された部分が内空間（２１ａ）を向くように挟まれながらその先端（２１ｂ）がフィルターカバー（２０ａ）の支持面（２６ａ）に密着されながら支持されることを特徴とする請求項４に記載のフィルター注射器。
【請求項７】
前記フィルター（２０ｂ）は、小さな玉とバインダーが混合された後、バインダーが玉の表面にコーティングされた状態でコップ状に加圧成形されており、玉と玉の間に生ずる隙間でフィルタリングされるようにしたことを特徴とする請求項１に記載のフィルター注射器。
【請求項８】
前記フィルター（２０ｂ）がフィルターカバー（２０ａ）の内空間（２１ａ）に内入される場合に、フィルターカバー（２０ａ）の胴体（２２ａ）の厚みと突出したリブ（１４）によってフィルター（２０ｂ）が装着された状態で注射器本体のシリンダーの内入部（１２）の内壁と離隔された空間が形成されるようになり、フィルター（２０ｂ）がフィルターカバー（２０ａ）の内空間（２１ａ）に内入されて結合された状態で、後方に突き出されるようにすることで圧力を分散させることを特徴とする請求項６に記載のフィルター注射器。
【発明の詳細な説明】
【技術分野】
【０００１】
本発明は、注射器に関するものであり、特に、痛み止めなどの治療のための薬液を注射する場合に、このような薬液が盛られたアンプルの薬液を注射針を使って注射器で吸いこんで注射針を通じて再び注射するようにする場合にアンプルなどで発生される異物が注射針を通じて注射器に吸入された状態で人体に注射される場合に、このような異物を注射器でろ過するようにしたものである。
【０００２】
また、このようなろ過のためのフィルターを注射器に装着し、人体の注射はもちろんカテーテルに注射する場合にも使用可能にさせて、このようなフィルターを簡単な挿入だけで吸入と注射時に離脱を防止するようにしたものである。
【背景技術】
【０００３】
一般に、注射器は注射器本体と注射針でなされて感染患者に人体に直接薬液を投与する時に注射針を注射器に結合した後または結合された状態で衛生的に包装または保管された状態で使用するものであり、これは通常の注射過程で２次感染の憂慮を解消するためのものである。
【０００４】
しかし、このような感染患者に注射する注射液は、通常保管の容易性を提供するために粉末で加工されて保管され、使用時に液状と混合して使用するようになって、このような場合にこのような粉末や液状が盛られた密封されたアンプルをオープンして使用するようになるが、この時アンプルをオープンする場合にアンプルがガラス製やプラスチック製でなされて、微細な粒子のガラスパウダーやプラスチックパウダーが発生され、このようなものなどがアンプルの内部に入って行きながら薬液を混合するか、または吸いこむ過程で注射器の内部に吸い込まれて結局人体に注射されるというものである。
【０００５】
したがって、最近には図７及び図８に示されたように注射器の先端に脱着可能に装着される注射針が装着された注射針固定部材内にフィルターを設置して注射針を通じて前記のように混合したものか、または液状の薬物を注射器本体のシリンダー内にピストンを使って吸いこむ時にガラスパウダーなどのような異物をろ過することができるようにしたものが提案されたが、この場合必ずこの時に使用された注射針を入れ替えた後、人体に注射するようにしなければならないが、不注意によってまたは錯覚によって取り交わさない場合にはフィルターに付いている異物がそのまま再び患者に注入される問題があるものである。
【０００６】
また、注射針のみを交換する場合に周辺のウイルスに汚染される問題点が発生され、またこのような一連の作業が非常に煩わしいだけでなく、急病患者に迅速に対処することができないし、またこのような使い捨て注射器は一日にも非常に多い量を使用するが、一度注射時に注射針を複数で使用することによって医療廃棄物が幾何級数的に増加して環境に悪影響を及ぼすようになるものである。
【０００７】
特に、このような医療廃棄物は一般廃棄物とは別に区分されて処理するようにするが、これによる処理費用が増加するようになる問題があるものである。
【０００８】
また、このような注射針に装着されるフィルターの装着は、注射針が装着された固定部材の内部面積がとても狭小であるためにフィルターの装着によって特に注射時にボトルネックの現象によって圧力が高くなるようになるものであり、したがって、薬液を患者に注射するためにピストンを加圧するのに多くの力が入って行くようになるので医療陣には不便をもたらすだけでなく、特に感染患者に注射する薬液の量によって感染患者の治療未備と副作用の憂慮が存在して、これによって安全事故の危険が存在するようになるというものである。
【０００９】
したがって、このような問題点を解消したフィルターニードルに対して本願出願人が注射針の固定部材に装着される両方向のフィルターニードルらを提案したが、このようなものの問題点はカテーテルを使用する患者に注射途中にまた他の薬液を注射しようとする場合にはこのようなフィルターニードルでは使用することができなくなるという問題点があるものであり、注射針に装着することで大きさの制限による圧力の解消に多い問題点が発生されるというものである。
【発明の概要】
【発明が解決しようとする課題】
【００１０】
したがって、本発明は異物などのろ過のためのフィルター体を注射器本体のシリンダーの先端に装着して汎用に使用可能でありながら、このようなフィルター体を、薬液を吸入時にはろ過されなくなりながら人体に注射時のみにろ過するようにするものである。
【００１１】
また、このようなフィルター体を人体に注射時には圧力を一番少し受けながらも吸入時には負荷が全然なしに吸入を可能にさせることで使用者に使用の便宜性を提供するようにしたものである。
【００１２】
また、このようなフィルター体の組み立てを注射器本体のシリンダー先端に挿入することだけで装着を可能にさせることはもちろん、このような装着によって吸入の試みも任意的な離脱を防止するようにしたものである。
【課題を解決するための手段】
【００１３】
このために本発明は、注射針が装着された注射針固定部材が脱着される注射器本体のシリンダー先端には突出部が形成されて、突出部の後端に形成される内入部の内壁には流路の一定間隔の形成において、内入部の内壁に一定な長さで突き出されるリブを形成して流路を形成して、前記リブの上端には内側で傾くように段顎面を形成するものである。
【００１４】
また、前記の構成を有する内入部に内入されるフィルター体は、フィルターカバーとフィルターとでなされて、フィルターカバーは一定の長さを有するようになって内空間を有する胴体と該胴体の一端には外周縁に突き出されてリブの段顎面に置かれて密着されるように逆止翼を形成して、他端にはその中央に段顎による逆止弁が形成されて、前記フィルター体の内空間にはコップ状のフィルターが内入されて固定されるものである。
【００１５】
したがって、吸入時には逆止翼だけ開かれるようになりながら油路が開かれて薬液が異物と共にシリンダー内に吸入されるものであり、注射時には逆止翼が流路を塞ぐようになって、逆止弁を開くようになりながらフィルターによって異物がろ過されるようになりながら薬液だけが注射されるようになるものである。
【００１６】
また、フィルターがフィルター体のフィルターカバーの内空間に装着された状態でフィルターカバーの胴体の肉厚さによってフィルター体の側面にも空間が形成されることで注射時にこのような空間によって圧力が噴射されながら注射が容易にになるものである。
【発明の効果】
【００１７】
したがって、本発明は注射器自体だけで薬液を吸いこんで排出する場合に異物のろ過が可能になるようになって、このようなフィルター体を注射器に簡単な挿入だけで固定するようになって、またフィルター体が注射器内入部の内壁で離隔されて空間を形成することで注射時フィルターの全体で抵抗を均一に受けるようになることで、圧力の分散によって取り扱いも容易になるものである。
【図面の簡単な説明】
【００１８】
【図１】本発明の注射器本体のシリンダーに形成された内入部にリブによって油路が形成された一実施例の断面図である。
【図２】図１のリブによって油路が形成された状態を示した断面図である。
【図３】本発明のフィルター体が注射器本体のシリンダーの内入部に内入された状態の断面図である。
【図４】本発明の注射器の構成を示した全体的な組み立て斜視図である。
【図５】本発明のフィルター体の構成を示した分解斜視図である。
【図６】本発明の吸入時と注射時の薬液の流れを示した流れ図である。
【図７】従来注射針の固定部材にフィルターが装着されて注射器本体が結合される状態図である。
【図８】従来注射針の固定部材にフィルターが装着されて注射器本体が結合される状態図である。
【発明を実施するための形態】
【００１９】
本発明の実施のための最善の形態は、注射針（３１）が装着された注射針固定部材（３０）が脱着される注射器本体のシリンダー（１０）先端には突出部（１１）が形成されて、突出部（１１）の後端には内入部（１２）を形成して、前記内入部（１２）の内壁には一定な長さで突き出されるリブ（１４）を形成して流路（１３）を形成して、前記リブ（１４）の上端では段顎面（１５）を形成して、前記の内入部（１２）に内入されるフィルター体（２０）はフィルターカバー（２０ａ）とフィルター（２０ｂ）でなされて、フィルターカバー（２０ａ）は一定長さを有するようになって注射器本体のシリンダーの内入部（１１）の内壁と密着されるように内空間（２１ａ）を有する胴体（２２ａ）と該胴体（２２ａ）の一端には外周縁に突き出されてリブ（１４）の段顎面（１５）に置かれて密着されるように逆止翼（２３ａ）を形成して、他端にはその中央には段顎（２４ａ）による逆止弁（２５ａ）が形成されて、前記フィルターカバー（２０ａ）の内空間（２１ａ）にはコップ状のフィルター（２０ｂ）が内入されて密着されながら離脱が防止されるように結合固定されているものである。
【００２０】
以下、本発明による望ましい実施例を添付した図面を参照して説明すれば次のようである。
【００２１】
本発明は、図１乃至図６に示されたように本発明の構成は、注射針（３１）が装着された注射針固定部材（３０）が脱着される注射器本体のシリンダー（１０）先端には突出部（１１）が形成されて、突出部（１１）の後端に段顎になるように形成される内入部（１１）を形成して、この時内入部（１１）の内側でも突出部（１１）と段顎になるように形成されるものである。
【００２２】
また、前記内入部（１１）の内壁には流路（１３）を一定間隔で形成するにおいて、内入部（１１）の内壁に一定な長さで突き出されるリブ（１４）を形成して流路（１３）を形成し、前記リブ（１４）の上端では内壁で内側に傾くように段顎面（１５）を形成するものであり、この時段顎面（１５）は内側に下向き傾斜になるように形成されるものであるので、逆止翼が覆われている状態で吸入時容易に開放を可能にさせるものであり、それと同時に注射時に密着しながら注射液の流れを容易にして薬液が残存しないようにするものである。
【００２３】
この時、流路（１３）は可能であれば内入部（１１）の内壁に放射状で均一な間隔で形成して圧力を分散するようにして、また流路（１３）を形成するリブ（１４）の突き出は内入部（１１）が注射針（３１）の固定部材（３０）が結合される突出部（１１）と内入部（１１）が段顎になるように形成されながら突き出された程度に突き出るようにして吸入や注射時に薬液の流れが抵抗が発生されないようにするものである。
【００２４】
この時、リブ（１４）が一定間隔で突き出されながら形成される流路（１３）は、その深さをリブ（１４）の上端に形成される段顎面（１５）にフィルター体（２０）のフィルターカバー（２０ａ）に形成される逆止翼２３ａが覆われる場合に流路（１３）を完全に覆われることができるようになる深さで形成されるものである。
【００２５】
すなわち、流路（１３）の深さはフィルター体（２０）の逆止翼（２３ａ）の突き出された幅より小さく形成することで逆止翼（２３ａ）が流路（１３）を完全に覆われることができるようにするものである。
【００２６】
また、このような内入部（１１）の内壁で一定長さで突き出されたリブ（１４）の突き出は、上端の段顎面（１５）と下端の下敷面（１６）に多段形成してフィルター体（２０）のフィルターカバー（２０ａ）が内入部（１１）に強制的に差し込まれて内入され、結合される場合にフィルターカバー（２０ａ）に形成される逆止翼（２３ａ）は上端の段顎面（１５）に密着されながら、それと共にフィルターカバー（２０ａ）の逆止弁（２５ａ）と区分される段顎（２４ａ）は下敷面（１６）と密着されて逆止弁（２５ａ）が内入部（１１）に内入された状態で加圧されないように露出するようになって、逆止弁（２５ａ）の作動が邪魔されないようにするものである。
【００２７】
この時、逆止弁（２５ａ）は外面を湾曲されるように形成して薬液を吸いこむ場合に逆止弁（２５ａ）には外力が伝達されようにしたものである。
【００２８】
また、リブ（１４）の間に形成される流路（１３）がリブ（１４）の上端に形成される段顎面（１５）にフィルター体（２０）の逆止翼（２３ａ）が覆われる場合に流路（１３）を完全に覆われることができるようになるものである。
【００２９】
また、前記のような構成を有する内入部（１１）に内入されるフィルター体（２０）は弾性体でなされるフィルターカバー（２０ａ）と一定な堅さを有するフィルター（２０ｂ）でなされるものである。
【００３０】
この時、前記フィルターカバー（２０ａ）は一定の長さを有するようになって注射器本体のシリンダーの内入部（１１）の内壁と緊密に密着されるように内空間（２１ａ）を有する胴体（２２ａ）と該胴体（２２ａ）の一端には、外周縁に突き出されてリブ（１４）の段顎面（１５）に置かれて密着されるように逆止翼（２３ａ）を形成して、他端にはその中央には段顎（２４ａ）による逆止弁（２５ａ）が形成されて、前記フィルターカバー（２０ａ）の内空間（２１ａ）にはコップ状のフィルター（２０ｂ）が内入されて密着されながら離脱が防止されるように結合固定されるものである。
【００３１】
この時、フィルターカバー（２０ａ）の内空間（２１ａ）に差し込まれるフィルター（２０ｂ）はコップ状をしており、開口された部分が内空間（２１ａ）を向くように挟まれながらその先端（２１ｂ）がフィルターカバー（２０ａ）の支持面（２６ａ）に密着されながら支持されるものである。
【００３２】
この時支持面（２６ａ）の幅とフィルター（２０ｂ）の開口された先端（２１ｂ）の幅は等しくなって薬液がフィルターを通過しながら流れる場合に抵抗が発生されないようにするものである。
【００３３】
また、フィルター（２０ｂ）は小さな玉をバインダーと混合するようにした後バインダーが玉の表面にコーティングされた状態で加圧によって接着が可能であるようにさせた後一定な圧力で一定なフレームで加圧してコップ状に成形されることで玉と玉との間に生ずるようになる隙間でフィルタリングされるようにしたものである。
【００３４】
このようにすることでフィルターカバー（２０ａ）の胴体（２２ａ）の内壁とフィルター（２０ｂ）が密着されて離脱が発生されなくなるものである。
【００３５】
しかし、このようなフィルター（２０ｂ）を一定な支持強度を有する網体を使ってプレスのドローイングの工法で精緻にコップ状に加工して、この時網体のメッシュの間隔が引張される場合にも変化されなくなりながら成形する場合にも等しい効果を発生できるようにしたものである。
【００３６】
また、フィルター（２０ｂ）がフィルターカバー（２０ａ）の内空間（２１ａ）に開口部分が向くように内入される場合にフィルターカバー（２０ａ）の胴体（２２ａ）の肉厚さとリブ（１４）の突き出によってフィルター（２０ｂ）が装着された状態で注射器本体のシリンダーの内入部（１１）の内壁と薬液の流れが可能な離隔された空間が形成されるようにして注射時に圧力が分散されるようにするものであり、このような圧力の分散はフィルター（２０ｂ）がフィルターカバー（２０ａ）の内空間（２１ａ）に内入されて結合された状態でも後方に突き出されるように長く形成されることで結合された状態でフィルター（２０ｂ）が内入部（１１）で突き出されて圧力を分散させるものである。
【００３７】
また、前記したようにフィルターカバー（２０ａ）は弾性力が優秀で衛生に有害性がないものでなければならないものであり、したがって本発明ではシリコンを使用したがシリコンと等しい特性を有する多様なものを使用することができるものであり、このようなものが本発明の目的を制限するものではない。
【００３８】
また、フィルターカバー（２０ａ）のこのような弾性力によってフィルター（２０ｂ）の結合とフィルターカバー（２０ａ）が内入部（１１）に内入される場合に摩擦力によって緊密に固定されるものである。
【００３９】
したがって、薬液を注射針（３１）を通じて吸入時には薬液と共に異物が突出部（１１）を通じて流入されれば湾曲された逆止弁（２５ａ）には圧力が伝達しなくなりながら流路（１３）を通じて圧力が発生されれば逆止翼（２３ａ）を押し出しながら流路（１３）が開かれるようになって薬液が異物と共にシリンダー内に吸入されるものであり、注射時には逆止翼（２３ａ）が加圧力によって流路（１３）を塞ぐようになって、薬液はフィルター（２０ｂ）を通じて逆止弁（２５ａ）の後方に形成される湾曲空間（２７ａ）に薬液が殺到するようになりながら逆止弁（２５ａ）が開かれるようになって、フィルター（２０ｂ）によって異物だけがろ過されるようになりながら薬液だけがフィルター（２０ｂ）を通じて逆止弁（２５ａ）を通じて注射されるようになるものである。
【００４０】
この時、フィルター（２０ｂ）の突き出と突き出されたフィルター（２０ｂ）が内入部（１１）の内壁と離隔される空間によって薬液が分散されながら圧力がなしに注射が可能になるものである。
【００４１】
また、注射針（３１）が必要ないカテーテルでも注射器のみを使って簡単に必要な薬液を入れ込むようにできるものである
【産業上の利用可能性】
【００４２】
以上説明したように、本発明によれば注射器自体だけで薬液を吸いこんで排出する場合に異物のろ過が可能になるようになって、このようなフィルター体を注射器に簡単な挿入だけで固定するようになって、またフィルター体が注射器内入部の内壁で離隔されて空間を形成することで注射時フィルターの全体で抵抗を均一に受けるようになることで、圧力の分散によって取り扱いも容易になるものである。
【図１】
0006464430.tif 000002
【図２】
0006464430.tif 000003
【図３】
0006464430.tif 000004
【図４】
0006464430.tif 000005
【図５】
0006464430.tif 000006
【図６】
0006464430.tif 000007
【図７】
0006464430.tif 000008
【図８】
0006464430.tif 000009